(57)【要約】【課題】安定して線香１２を立てることができ、線香１２からの灰を外側に落下させることがなく、しかも燃え残りの廃棄が容易である線香立て１０の提供。【解決手段】線香立て１０は、容器１４、筒１６及び網１８を備えている。容器１４には、灰２０が充填されている。筒１６は、容器１４に収容されている。筒１６は、側壁２２、外フランジ２４及び内フランジ２６からなる。側壁２２は、上に向かって内側に傾斜している。網１８は、経材２８及び緯材３０からなる。網１８は、筒１６の底に位置している。その下端が灰２０に差し込まれることにより、線香１２が立てられる。線香１２は、側壁２２に沿って立てられる。側壁２２の上縁においてのみ、線香１２は筒１６と接触する。【選択図】図１
2009050423.tif 000002
【特許請求の範囲】
【請求項１】
容器と、この容器に収容された筒と、この筒の底に位置する篩とを備えた線香立て。
【請求項２】
上記筒の側壁が、上細りに傾斜している請求項１に記載の線香立て。
【請求項３】
容器に収容されうる筒と、この筒の底に位置する篩とからなる、線香立てのための筒と篩とのセット。
【発明の詳細な説明】
【技術分野】
【０００１】
本発明は、仏事等に用いられる線香立てに関する。
【背景技術】
【０００２】
仏壇、祭壇等に、線香立てが置かれている。図４に、従来の線香立て２が示されている。この線香立て２は、容器状である。線香立てには、灰４が充填される。この灰４に線香６の下端が突き刺されることで、線香６が立てられる。
【０００３】
灰４は、低比重である。図４（ａ）に示されるように、線香立て２の中央に線香６が立てられたとき、線香６の重みで線香６が倒れてしまうことがある。線香６の倒れは、火災の原因になりかねない。図４（ｂ）に示されるように、線香立て２の側壁８に沿って線香６が立てられれば、線香６は安定する。
【発明の開示】
【発明が解決しようとする課題】
【０００４】
線香６は、その上端から燃える。火は下方へと移動する。灰４の内部には酸素がないので、線香６のうち灰４に埋まった部分は燃え残る。線香立て２が繰り返し使用されると、灰４の中に多数の燃え残りが溜まる。燃え残りは、廃棄される必要がある。灰４を飛散させることなく燃え残りを廃棄する作業は、煩わしい。
【０００５】
図４（ｂ）に示されるように、側壁８に沿って線香６が立てられた場合、線香６の燃えによって生じる灰が線香立て２の外に落下する。落下した灰は、線香立て２の周辺を汚す。しかも、線香６は広い面積をもって側壁８と接するので、この側壁８への熱伝導に起因して火が消えてしまうことがある。
【０００６】
線香立て２には、金メッキ等の表面処理が施されている。この処理により、線香立て２に高級感が付与されている。線香立て２のうち線香６と接触している部分は、線香６のヤニで汚れる。汚れにより、線香立て２の美観が損なわれる。
【０００７】
本発明の目的は、安定して線香を立てることができ、線香からの灰を外側に落下させることがなく、ヤニによって美観が損なわれることがなく、しかも燃え残りの廃棄が容易である線香立ての提供にある。
【課題を解決するための手段】
【０００８】
本発明に係る線香立ては、容器と、この容器に収容された筒と、この筒の底に位置する篩とを備える。好ましくは、筒の側壁は、上細りに傾斜している。
【０００９】
他の観点によれば、本発明に係る筒と篩とのセットは、容器に収容されうる筒と、この筒の底に位置する篩とからなる。このセットは、既存の線香立てに適用されうる。
【発明の効果】
【００１０】
本発明に係る線香立てでは、筒の内側にて、この筒の側壁に沿って線香が立てられうる。線香は、安定する。線香の燃えによって生じる灰は、容器の内部に落下する。線香と容器とは直接に接触しないので、線香立ての美観がヤニで損なわれることがない。筒が容器から抜かれると、篩から灰が抜ける。筒に残存する燃え残りは、容易に廃棄されうる。
【発明を実施するための最良の形態】
【００１１】
以下、適宜図面が参照されつつ、好ましい実施形態に基づいて本発明が詳細に説明される。
【００１２】
図１は、本発明の一実施形態に係る線香立て１０が線香１２と共に示された断面図である。この線香立て１０は、容器１４と、筒１６と、篩としての網１８とを備えている。容器１４は、筒１６に対して十分に大きい。筒１６は、容器１４に収容されている。網１８は、筒１６の底に位置している。
【００１３】
容器１４は、金属材料からなる。典型的には、容器１４は真鍮からなる。容器１４の外面には、金メッキが施されている。図示されていないが、容器１４の平面形状は円である。容器１４には、灰２０が充填されている。この灰２０は、線香１２が燃えることで生じたものである。
【００１４】
図２は、図１の線香立て１０の筒１６が示された斜視図である。図３は、図１の線香立て１０の筒１６及び網１８が示された底面図である。筒１６は、金属材料からなる。典型的には、筒１６はステンレススチールからなる。筒１６は、側壁２２、外フランジ２４及び内フランジ２６からなる。筒１６は、金属板が曲げ加工されて得られる。１枚の金属板から、側壁２２、外フランジ２４及び内フランジ２６が形成されている。
【００１５】
側壁２２は、上に向かって内側に傾斜している。従って、筒１６の直径は、上細りである。外フランジ２４は、側壁２２の下端から径方向外向き延びており、水平に延在している。外フランジ２４は、筒１６の安定した起立に寄与する。内フランジ２６は、側壁２２の下端から径方向内向き延びており、水平に延在している。内フランジ２６は、網１８の筒１６からの離脱を阻止する。
【００１６】
図３から明らかなように、この筒１６は、５枚の外フランジ２４と５枚の内フランジ２６とを備えている。外フランジ２４と内フランジ２６とは、交互に配置されている。外フランジ２４及び内フランジ２６の枚数は、適宜設定される。
【００１７】
図１に示されるように、網１８は、経材２８及び緯材３０からなる。経材２８及び緯材３０は、金属材料からなる。典型的には、経材２８及び緯材３０はステンレススチールからなる。網１８は、内フランジ２６の上に置かれている。網１８は、筒１６とは接合されていない。しかし、網１８の下方への移動は、内フランジ２６によって規制される。側壁２２が傾斜しているので、網１８の上方への移動も規制される。換言すれば、網１８は筒１６と一体とされている。網１８が、ろう接等によって筒１６に接合されてもよい。篩として、網１８に代えて、パンチングメタルが用いられてもよい。
【００１８】
この線香立て１０では、まず容器１４に灰２０が充填される。次に、この灰２０の上に、網１８と共に筒１６が置かれる。筒１６が下方に押されると、灰２０が網１８を通過して筒１６の内部に進入する。これに伴い、筒１６及び網１８が下方に移動する。外フランジ２４及び内フランジ２６が容器１４の底に着くまで、筒１６は移動する。筒１６は、容器１４のほぼ中央に位置する。
【００１９】
次に、線香１２に火がつけられる。この線香１２の下端が灰２０に差し込まれることにより、線香１２が立てられる。図１に示されるように、線香１２は、筒１６の内側において、側壁２２に沿って立てられる。これにより、線香１２が安定する。線香１２の差し込み深さが少なくても、線香１２は安定する。筒１６が上細りなので、側壁２２の上縁においてのみ、線香１２は筒１６と接触する。線香１２が燃えることで生じた灰は、線香１２から落下する。筒１６に対して容器１４が十分に大きいので、灰は容器１４の内部に落下する。従って、灰が線香立て１０の周辺を汚すことがない。
【００２０】
燃えの進行により、火は筒１６の上縁を通過する。このとき、筒１６への熱伝導により、線香１２の温度が低下する。筒１６の上縁でのみ線香１２は筒１６と接触するので、熱伝導は最小限に抑制されうる。この線香立て１０では、火が消えにくい。
【００２１】
線香１２は容器８と直接には接触しない。従って、線香１２から生じるヤニは、容器８に付着しない。この線香立て１０では、ヤニによって美観が損なわれることがない。  
【００２２】
燃えがさらに進行し、火が灰２０の近くに至ると、火は消える。灰２０の中には、線香１２の燃え残りが残存する。これが繰り返されると、灰２０の中に多数の燃え残りがたまる。筒１６が上方へ引き上げられると、筒１６の内部の灰２０が網１８を通過する。通過した灰２０は、容器１４に収容される。燃え残りは網１８を通過しないので、筒１６の内部に残る。筒１６が下向きにされることで、筒１６の間口から燃え残りが容易に取り出されうる。
【００２３】
前述の通り、筒１６によって線香１２の灰２０への差し込み深さは小さくされうる。差し込み深さが小さい場合、燃え残りの量は少なくてすむ。
【００２４】
線香立て１０の安定の観点から、容器１４の厚みＴ１はある程度大きいことが好ましい。一方、線香１２からの熱伝導抑制の観点から、筒１６の厚みＴ２は小さい方が好ましい。比（Ｔ２／Ｔ１）は、０．１以上０．５以下が好ましい。
【００２５】
線香１２から落下する灰が容器１４からこぼれにくいとの観点から、容器１４の上縁の内径Ｄ１に対する、筒１６の上縁の内径Ｄ２の比（Ｄ２／Ｄ１）は、０．８以下が好ましく、０．６以下がより好ましい。比（Ｄ２／Ｄ１）は０．１以上が好ましい。
【産業上の利用可能性】
【００２６】
この筒１６及び網１８は、容器のみからなる既存の線香立てと組み合わせても、用いられうる。
【図面の簡単な説明】
【００２７】
【図１】図１は、本発明の一実施形態に係る線香立てが線香と共に示された断面図である。
【図２】図２は、図１の線香立ての筒が示された斜視図である。
【図３】図３は、図１の線香立ての筒及び網が示された底面図である。
【図４】図４は、従来の線香立てが線香と共に示された断面図である。
【符号の説明】
【００２８】
１０・・・線香立て
１２・・・線香
１４・・・容器
１６・・・筒
１８・・・網
２０・・・灰
２２・・・側壁
２４・・・外フランジ
２６・・・内フランジ
２８・・・経材
３０・・・緯材
【図１】
2009050423.tif 000003
【図２】
2009050423.tif 000004
【図３】
2009050423.tif 000005
【図４】
2009050423.tif 000006